(57)【要約】【課題】セラミックス部材とＡｌ−ＳｉＣ複合材料とを、比較的低温での加熱によって、Ａｌ−ＳｉＣ複合材料中のアルミニウム材を溶出させずに、かつ高強度で接合することができるセラミックス／Ａｌ−ＳｉＣ複合材料接合体の製造方法を提供する。【解決手段】セラミックス部材とＡｌ−ＳｉＣ複合材料とを、アルミニウム又はアルミニウム合金からなるアルミニウム部材層と、このアルミニウム部材層の表裏面の少なくとも一方の面に形成されたマグネシウム層とを有する積層ろう材を介して積層して、積層ろう材のマグネシウム層と接触するＡｌ−ＳｉＣ複合材料のアルミニウム材および積層ろう材のアルミニウム部材層のうちの少なくとも一方は、ケイ素含有量が０．１原子％以上であるＡｌ−Ｓｉ合金で構成されている積層体を得て、次いで得られた積層体を５５０℃以上５７５℃以下の温度範囲で加熱することによって接合する。【選択図】図１
2018030755.tif 000002
【特許請求の範囲】
【請求項１】
セラミックス部材と、ＳｉＣからなる多孔質体及びこの多孔質体に含浸されたアルミニウム又はアルミニウム合金からなるアルミニウム材を有するＡｌ−ＳｉＣ複合材料とをろう材を用いて接合するセラミックス／Ａｌ−ＳｉＣ複合材料接合体の製造方法であって、
前記ろう材が、アルミニウム又はアルミニウム合金からなるアルミニウム部材層と、このアルミニウム部材層の表裏面の少なくとも一方の面に形成されたマグネシウム層とを有する積層ろう材であり、
前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されていて、
前記セラミックス部材と前記Ａｌ−ＳｉＣ複合材料とを、前記積層ろう材を介して積層して、前記積層ろう材の前記マグネシウム層と接触する前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されている積層体を得る工程と、
前記積層体を５５０℃以上５７５℃以下の温度範囲で加熱することによって、前記セラミックス部材と前記Ａｌ−ＳｉＣ複合材料とを接合する工程と、
を備えていることを特徴とするセラミックス／Ａｌ−ＳｉＣ複合材料接合体の製造方法。
【請求項２】
前記Ａｌ−ＳｉＣ複合材料の前記アルミニウム材および前記積層ろう材の前記アルミニウム部材層の両方が、ケイ素含有量が０．１原子％以上であるＡｌ−Ｓｉ合金で構成されていて、
前記積層ろう材が、前記マグネシウム層が前記Ａｌ−ＳｉＣ複合材料のアルミニウム材と接触するように配置されていることを特徴とする請求項１に記載のセラミックス／Ａｌ−ＳｉＣ複合材料接合体の製造方法。
【請求項３】
セラミックス基板と、このセラミックス基板の一方の面に接合された回路層とを有するパワーモジュール用基板の前記セラミックス基板と、ＳｉＣからなる多孔質体及びこの多孔質体に含浸されたアルミニウム又はアルミニウム合金からなるアルミニウム材を有するＡｌ−ＳｉＣ複合材料で構成されているヒートシンクとをろう材を用いて接合するヒートシンク付パワーモジュール用基板の製造方法であって、
前記ろう材が、アルミニウム又はアルミニウム合金からなるアルミニウム部材層と、このアルミニウム部材層の表裏面の少なくとも一方の面に形成されたマグネシウム層とを有する積層ろう材であり、
前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されていて、
前記セラミックス基板と前記Ａｌ−ＳｉＣ複合材料とを、前記積層ろう材を介して積層して、前記積層ろう材の前記マグネシウム層と接触する前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されている積層体を得る工程と、
前記積層体を５５０℃以上５７５℃以下の温度範囲で加熱することによって、前記セラミックス基板と前記Ａｌ−ＳｉＣ複合材料とを接合する工程と、
を備えていることを特徴とするヒートシンク付パワーモジュール用基板の製造方法。
【請求項４】
前記Ａｌ−ＳｉＣ複合材料の前記アルミニウム材および前記積層ろう材の前記アルミニウム部材層の両方が、ケイ素含有量が０．１原子％以上であるＡｌ−Ｓｉ合金で構成されていて、
前記積層ろう材が、前記マグネシウム層が前記Ａｌ−ＳｉＣ複合材料のアルミニウム材と接触するように配置されていることを特徴とする請求項３に記載のヒートシンク付パワーモジュール用基板の製造方法。
【発明の詳細な説明】
【技術分野】
【０００１】
本発明は、セラミックス部材とＡｌ−ＳｉＣ複合材料とが接合されてなるセラミックス／Ａｌ−ＳｉＣ複合材料接合体の製造方法、及びパワーモジュール用基板のセラミックス基板とＡｌ−ＳｉＣ複合材料で構成されているヒートシンクとが接合されてなるヒートシンク付パワーモジュール用基板の製造方法に関するものである。
【背景技術】
【０００２】
風力発電、電気自動車、ハイブリッド自動車等を制御するために用いられる大電力制御用のパワー半導体素子においては、発熱量が多いことから、これを搭載する基板としては、例えばＡｌＮ（窒化アルミ）、Ａｌ２Ｏ３（アルミナ）などからなるセラミックス基板と、このセラミックス基板の一方の面に導電性の優れた金属板を接合して形成した回路層と、を備えたパワーモジュール用基板が、従来から広く用いられている。また、回路層に搭載した半導体素子等から発生した熱を効率的に放散させるために、セラミックス基板の他方の面にヒートシンクを接合したヒートシンク付パワーモジュール用基板が提供されている。
【０００３】
ヒートシンクの材料としては、ＳｉＣからなる多孔質体と、この多孔質体に含浸されたアルミニウム又はアルミニウム合金からなるアルミニウム材とを有するＡｌ−ＳｉＣ複合材料（アルミニウム基複合材料ともいう）が知られている。
【０００４】
例えば、特許文献１には、天板部がＡｌ−ＳｉＣ複合材料で構成されているヒートシンクを、セラミックス基板に接合したヒートシンク付パワーモジュール用基板が開示されている。この特許文献１には、セラミックス基板とＡｌ−ＳｉＣ複合材料とを接合する方法として、Ａｌ−ＳｉＣ複合材料のアルミニウム材を純度９９．９８％以上のアルミニウム（純アルミニウム）とし、Ａｌ−Ｓｉ系のろう材を用いて、セラミックス基板とＡｌ−ＳｉＣ複合材料とを接合する方法が記載されている。また、セラミックス基板とＡｌ−ＳｉＣ複合材料とを接合する別の方法として、Ａｌ−ＳｉＣ複合材料のアルミニウム材を融点が６００℃以下のアルミニウム合金（Ａｌ−Ｓｉ合金）とし、そのＡｌ−ＳｉＣ複合材料のセラミックス基板側部分にＡｌ−Ｓｉ合金からなるスキン層を形成して、そのスキン層の一部を溶融させる方法が記載されている。
【先行技術文献】
【特許文献】
【０００５】
【特許文献１】特開２０１０−９８０５８号公報
【発明の概要】
【発明が解決しようとする課題】
【０００６】
ところで、特許文献１に記載されているように、アルミニウム材が純度９９．９８％以上のアルミニウムであるＡｌ−ＳｉＣ複合材料とセラミックス基板とをＡｌ−Ｓｉ系のろう材を用い接合する場合には、接合温度を６００℃よりも高い温度とする必要があった。
一方、融点が６００℃以下のＡｌ−Ｓｉ合金からなるスキン層が形成されたＡｌ−ＳｉＣ複合材料とセラミックス基板とを、Ａｌ−ＳｉＣ複合材料のスキン層の一部を溶融させて接合する場合は、接合温度を６００℃以下にすることは可能である。しかしながら、Ａｌ−ＳｉＣ複合材料のスキン層の一部のみを溶融させることは難しく、スキン層を溶融させると、Ａｌ−ＳｉＣ複合材料中のアルミニウム合金も溶融し、その一部が溶出して、Ａｌ−ＳｉＣ複合材料中に空隙（ボイド）が生成するおそれがあった。Ａｌ−ＳｉＣ複合材料中に空隙が生成すると、Ａｌ−ＳｉＣ複合材料の熱伝導性が低下する要因となる。
【０００７】
この発明は、前述した事情に鑑みてなされたものであって、セラミックス部材とＡｌ−ＳｉＣ複合材料とを、比較的低温での加熱によって、Ａｌ−ＳｉＣ複合材料中のアルミニウム材を溶出させずに、かつ高強度で接合することができるセラミックス／Ａｌ−ＳｉＣ複合材料接合体の製造方法、及び、ヒートシンク付パワーモジュール用基板の製造方法を提供することを目的とする。
【課題を解決するための手段】
【０００８】
このような課題を解決して前記目的を達成するために、本発明のセラミックス／Ａｌ−ＳｉＣ複合材料接合体の製造方法は、セラミックス部材と、ＳｉＣからなる多孔質体及びこの多孔質体に含浸されたアルミニウム又はアルミニウム合金からなるアルミニウム材を有するＡｌ−ＳｉＣ複合材料とをろう材を用いて接合するセラミックス／Ａｌ−ＳｉＣ複合材料接合体の製造方法であって、前記ろう材が、アルミニウム又はアルミニウム合金からなるアルミニウム部材層と、このアルミニウム部材層の表裏面の少なくとも一方の面に形成されたマグネシウム層とを有する積層ろう材であり、前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されていて、前記セラミックス部材と前記Ａｌ−ＳｉＣ複合材料とを、前記積層ろう材を介して積層して、前記積層ろう材の前記マグネシウム層と接触する前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されている積層体を得る工程と、前記積層体を５５０℃以上５７５℃以下の温度範囲で加熱することによって、前記セラミックス部材と前記Ａｌ−ＳｉＣ複合材料とを接合する工程と、を備えていることを特徴としている。
【０００９】
この構成のセラミックス／Ａｌ−ＳｉＣ複合材料接合体の製造方法によれば、セラミックス部材とＡｌ−ＳｉＣ複合材料との間に配置された積層ろう材は、ケイ素含有量が０．１原子％以上であるＡｌ−Ｓｉ合金と接触しているので、５５０℃以上５７５℃以下と比較的低温での加熱によって、セラミックス部材とＡｌ−ＳｉＣ複合材料を接合することができる。
即ち、積層ろう材のマグネシウム層のマグネシウムがＡｌ−Ｓｉ合金層の表面に存在する酸化被膜を除去するとともに、Ａｌ−Ｓｉ合金層へ拡散して、セラミックス部材とＡｌ−ＳｉＣ複合材料との間に、アルミニウム、とマグネシウムと、ケイ素と、拡散してきたマグネシウムとケイ素との反応によって形成されたＭｇ２Ｓｉとによって、固相と液相が混在した固液共存領域が形成される。なお、この時に、固液共存領域に存在するマグネシウムによって、セラミックス部材やＡｌ−ＳｉＣ複合材料の表面の酸化被膜が除去される。そして、この固液共存領域が凝固することによって、セラミックス部材とＡｌ−ＳｉＣ複合材料とが、アルミニウムとマグネシウムとケイ素を含む接合層を介して接合される。また、これらの酸化被膜とマグネシウムの反応によってマグネシウム酸化物が生じる。
これによって、セラミックス部材とＡｌ−ＳｉＣ複合材料は、表面の酸化被膜が消失して、接合層との密着性が向上するので、セラミックス部材とＡｌ−ＳｉＣ複合材料とが強固に接合したセラミックス／Ａｌ−ＳｉＣ複合材料接合体を製造することができる。
【００１０】
また、セラミックス部材とＡｌ−ＳｉＣ複合材料とを、固液共存領域を形成させて接合しているので、Ａｌ−ＳｉＣ複合材料中のアルミニウム材を溶出させずに、セラミックス部材とＡｌ−ＳｉＣ複合材料とを接合することができる。さらにＡｌ−ＳｉＣ複合材料中のアルミニウム材が溶出しないので、Ａｌ−ＳｉＣ複合材料のアルミニウム材が流出することによる空隙（ボイド）の発生や、Ａｌ−ＳｉＣ複合材料のひび割れを抑制することができる。
【００１１】
ここで、本発明のセラミックス／Ａｌ−ＳｉＣ複合材料接合体の製造方法においては、前記Ａｌ−ＳｉＣ複合材料の前記アルミニウム材および前記積層ろう材の前記アルミニウム部材層の両方が、ケイ素含有量が０．１原子％以上であるＡｌ−Ｓｉ合金で構成されていて、前記積層ろう材が、前記マグネシウム層が前記Ａｌ−ＳｉＣ複合材料のアルミニウム材と接触するように配置されていることが好ましい。
【００１２】
この場合、積層ろう材のマグネシウム層と接触しているＡｌ−ＳｉＣ複合材料のアルミニウム材と積層ろう材のアルミニウム部材層の両方にケイ素が存在することにより、液相中に生成するＭｇ２Ｓｉが多くなるので、セラミックス部材とＡｌ−ＳｉＣ複合材料との表面に形成されていた酸化被膜をより確実に消失させることができ、セラミックス部材とＡｌ−ＳｉＣ複合材料とをより高強度で接合することが可能となる。
【００１３】
本発明のヒートシンク付パワーモジュール用基板の製造方法は、セラミックス基板と、このセラミックス基板の一方の面に接合された回路層とを有するパワーモジュール用基板の前記セラミックス基板と、ＳｉＣからなる多孔質体及びこの多孔質体に含浸されたアルミニウム又はアルミニウム合金からなるアルミニウム材を有するＡｌ−ＳｉＣ複合材料で構成されているヒートシンクとをろう材を用いて接合するヒートシンク付パワーモジュール用基板の製造方法であって、前記ろう材が、アルミニウム又はアルミニウム合金からなるアルミニウム部材層と、このアルミニウム部材層の表裏面の少なくとも一方の面に形成されたマグネシウム層とを有する積層ろう材であり、前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されていて、前記セラミックス基板と前記Ａｌ−ＳｉＣ複合材料とを、前記積層ろう材を介して積層して、前記積層ろう材の前記マグネシウム層と接触する前記Ａｌ−ＳｉＣ複合材料のアルミニウム材および前記積層ろう材のアルミニウム部材層のうちの少なくとも一方は、ケイ素含有量が０．１原子％以上であるＡｌ−Ｓｉ合金で構成されている積層体を得る工程と、前記積層体を５５０℃以上５７５℃以下の温度範囲で加熱することによって、前記セラミックス基板と前記Ａｌ−ＳｉＣ複合材料とを接合する工程と、を備えていることを特徴としている。
【００１４】
この構成のヒートシンク付パワーモジュール用基板の製造方法の製造方法によれば、上述のセラミックス／Ａｌ−ＳｉＣ複合材料接合体の製造方法の場合と同様に、セラミックス基板とＡｌ−ＳｉＣ複合材料とを、５５０℃以上５７５℃以下と比較的低温での加熱によって、Ａｌ−ＳｉＣ複合材料中のアルミニウム材を溶出させずに、かつ高強度で接合することができる。
【００１５】
ここで、本発明のヒートシンク付パワーモジュール用基板の製造方法においては、前記Ａｌ−ＳｉＣ複合材料の前記アルミニウム材および前記積層ろう材の前記アルミニウム部材層の両方が、ケイ素含有量が０．１原子％以上であるＡｌ−Ｓｉ合金で構成されていて、前記積層ろう材が、前記マグネシウム層が前記Ａｌ−ＳｉＣ複合材料のアルミニウム材と接触するように配置されていることが好ましい。
【００１６】
この場合、上述のセラミックス／Ａｌ−ＳｉＣ複合材料接合体の製造方法の場合と同様に、セラミックス基板とＡｌ−ＳｉＣ複合材料との表面に形成されている酸化被膜をより確実に消失させることができ、セラミックス基板とＡｌ−ＳｉＣ複合材料とをより高強度で接合することが可能となる。
【発明の効果】
【００１７】
本発明によれば、セラミックス部材とＡｌ−ＳｉＣ複合材料とを、比較的低温での加熱によって、Ａｌ−ＳｉＣ複合材料中のアルミニウム材を溶出させずに、かつ高強度で接合することができるセラミックス／Ａｌ−ＳｉＣ複合材料接合体の製造方法、及び、ヒートシンク付パワーモジュール用基板の製造方法を提供することが可能となる。
【図面の簡単な説明】
【００１８】
【図１】発明の実施形態であるヒートシンク付パワーモジュール用基板の製造方法によって得られるヒートシンク付パワーモジュール用基板の断面図である。
【図２】本発明の実施形態であるヒートシンク付パワーモジュール用基板の製造方法によって得られるヒートシンク付パワーモジュール用基板のセラミックス基板と金属層とが接合されている部分の拡大断面図である。
【図３】本発明の実施形態であるヒートシンク付パワーモジュール用基板の製造方法を示すフロー図である。
【図４】本発明の実施形態であるヒートシンク付パワーモジュール用基板の製造方法を示す説明図である。
【図５】実施例における母材溶融が発生したＡｌ−ＳｉＣ複合材料を説明する写真である。
【発明を実施するための形態】
【００１９】
以下、図面を参照して、本発明のセラミックス／Ａｌ−ＳｉＣ複合材料接合体の製造方法およびヒートシンク付きパワーモジュール用基板の製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２０】
まず、本発明の実施形態であるヒートシンク付パワーモジュール用基板の製造方法によって得られるヒートシンク付パワーモジュール用基板の構成を、図１と図２を参照して説明する。
【００２１】
図１において、ヒートシンク付パワーモジュール用基板１は、パワーモジュール用基板１０とヒートシンク２０とを備える。
パワーモジュール用基板１０は、セラミックス基板１１と、このセラミックス基板１１の一方の面（図１において上面）に接合された回路層１２を備えている。
セラミックス基板１１は、回路層１２とヒートシンク２０との間の電気的接続を防止するものであって、絶縁性および放熱性に優れたＳｉ３Ｎ４（窒化ケイ素）、ＡｌＮ（窒化アルミニウム）、Ａｌ２Ｏ３（アルミナ）等のセラミックスで構成されている。本実施形態では、ＡｌＮで構成されている。セラミックス基板１１の厚さは、０．２〜１．５ｍｍの範囲内に設定されており、本実施形態では、０．６３５ｍｍに設定されている。
【００２２】
回路層１２は、セラミックス基板１１の一方の面にアルミニウムまたはアルミニウム合金からなるアルミニウム部材が接合されることで形成されている。アルミニウム部材としては、純度が９９ｍａｓｓ％以上のアルミニウム（２Ｎアルミニウム）や純度が９９．９９ｍａｓｓ％以上のアルミニウム（４Ｎアルミニウム）を用いることができる。本実施形態では、４Ｎアルミニウムの圧延板を用いている。回路層１２の厚さは、０．１ｍｍ以上１．０ｍｍ以下の範囲内に設定されており、本実施形態では０．４ｍｍに設定されている。回路層１２とセラミックス基板１１とは、例えば、Ａｌ−Ｓｉ系ろう材によって接合されている。
【００２３】
ヒートシンク２０は、パワーモジュール用基板１０側の熱を放散するためのものである。このヒートシンク２０には、冷却用の流体が流れるための流路２１が設けられている。
【００２４】
ヒートシンク２０は、Ａｌ−ＳｉＣ複合材料（いわゆるＡｌＳｉＣ）３０で構成されている。Ａｌ−ＳｉＣ複合材料は、ＳｉＣからなる多孔質体３１と、この多孔質体３１に含浸されたアルミニウム又はアルミニウム合金からなるアルミニウム材３２とを有する。アルミニウム材３２としては、純度が９９ｍａｓｓ％以上のアルミニウム（２Ｎアルミニウム）や純度が９９．９９ｍａｓｓ％以上のアルミニウム（４Ｎアルミニウム）等の純アルミニウム、Ａｌ：８０ｍａｓｓ％以上９９．９９ｍａｓｓ％以下、Ｓｉ：０．０１ｍａｓｓ％以上１３．５ｍａｓｓ％以下、Ｍｇ：０．０３ｍａｓｓ％以上５．０ｍａｓｓ％以下、残部：不純物の組成を有するアルミニウム合金を用いることができる。また、ＡＤＣ１２やＡ３５６等のアルミニウム合金を用いることもできる。
Ａｌ−ＳｉＣ複合材料３０はスキン層を有していてもよい。このスキン層は、多孔質体３１となるＳｉＣにアルミニウム材３２を溶融して含浸させてＡｌ−ＳｉＣ複合材料を製造する際に、このアルミニウム材３２の一部が表面に滲み出すことによって形成される層である。従って、スキン層は、アルミニウム材３２と同じ組成となる。スキン層の厚さは、滲み出したアルミニウム材を切削加工することによって調整される。
【００２５】
ヒートシンク２０の厚さは０．５ｍｍ〜５．０ｍｍとすることができる。なお、ヒートシンク２０の厚さはスキン層が形成されている場合はそのスキン層の厚さを含んだ厚さである。また、スキン層の片面当たりの厚さは、ヒートシンク２０の厚さの０．０１倍〜０．１倍とすることが好ましい。
なお、本実施形態のヒートシンク付パワーモジュール用基板１において、ヒートシンク２０の面積は、セラミックス基板１１の面積と同じか、又は、大きくなるように設定されている。
【００２６】
ここで、セラミックス基板１１とヒートシンク２０との接合部分の構造について、図２を用いて説明する。
【００２７】
図２において、セラミックス基板１１とヒートシンク２０であるＡｌ−ＳｉＣ複合材料３０とは、接合層４０を介して接合されている。なお、図２の（ａ）は、Ａｌ−ＳｉＣ複合材料３０がスキン層３３を有する場合であり、（ｂ）は、Ａｌ−ＳｉＣ複合材料３０がスキン層３３を有しない場合である。
【００２８】
接合層４０は、アルミニウムとマグネシウムとケイ素を含む。接合層４０は、後述するヒートシンク付パワーモジュール用基板の製造方法において、セラミックス基板１１とＡｌ−ＳｉＣ複合材料３０との間に積層ろう材を介して積層した積層体を加熱することによって生成した、アルミニウムとマグネシウムとケイ素を含む固液共存領域が凝固して成形された層である。
【００２９】
接合層４０には、マグネシウム酸化物４１が析出している。マグネシウム酸化物４１は、セラミックス基板１１と接合層４０との接合界面近傍や、接合層４０とＡｌ−ＳｉＣ複合材料３０（スキン層３３）との界面近傍に析出している。なお、マグネシウム酸化物４１は、Ａｌ−ＳｉＣ複合材料３０（スキン層３３）のうち、接合層４０とＡｌ−ＳｉＣ複合材料３０（スキン層３３）との界面近傍に析出している場合もある。マグネシウム酸化物４１は、通常、酸化マグネシウム（ＭｇＯ）、スピネル（ＭｇＡｌ２Ｏ４）およびこれらの複合物である。マグネシウム酸化物４１は、後述するヒートシンク付パワーモジュール用基板の製造方法において、セラミックス基板１１の表面と、Ａｌ−ＳｉＣ複合材料３０の表面とにそれぞれ存在していた酸化被膜と、固液共存領域中のマグネシウムが反応することによって生成した生成物である。また、接合層４０にはさらに、Ｍｇ２Ｓｉが析出している場合もある。
【００３０】
次に、本実施形態であるヒートシンク付パワーモジュール用基板１の製造方法について、図３と図４を参照して説明する。本実施形態であるヒートシンク付パワーモジュール用基板１の製造方法は、図３に示すように、回路層接合工程Ｓ０１とヒートシンク接合工程Ｓ０２とを有する。
【００３１】
（回路層接合工程Ｓ０１）
まず、図４に示すように、セラミックス基板１１の一方の面に、回路層１２となるアルミニウム部材５１を、ろう材５２を介して積層する。次いで、積層方向に加圧しながら加熱することによって、セラミックス基板１１に回路層１２を接合する。
以上の回路層接合工程Ｓ０１により、本実施形態におけるパワーモジュール用基板１０が製造される。
【００３２】
（ヒートシンク接合工程Ｓ０２）
次に、パワーモジュール用基板１０のセラミックス基板１１と、ヒートシンク２０となるＡｌ−ＳｉＣ複合材料３０とを接合して、ヒートシンク付パワーモジュール用基板１を製造する。このヒートシンク接合工程Ｓ０２は、図３に示すように、積層工程Ｓ２１と接合工程Ｓ２２とを有する。
【００３３】
積層工程Ｓ２１において、図４に示すように、パワーモジュール用基板１０のセラミックス基板１１と、ヒートシンク２０となるＡｌ−ＳｉＣ複合材料３０を、積層ろう材５３を介して積層して積層体を得る。
【００３４】
積層ろう材５３は、アルミニウム又はアルミニウム合金からなるアルミニウム部材層５４と、このアルミニウム部材層５４の表裏面の少なくとも一方の面に形成されたマグネシウム層５５とを有する。マグネシウム層５５は、アルミニウム部材層５４の表裏面の両面に配設されていてもよい。積層ろう材５３は、アルミニウム部材層５４とマグネシウム層５５とが分離した構造を有するので、マグネシウム層５５のマグネシウム濃度を高くできる。従来のＭｇ含有Ａｌ−Ｓｉ系ろう材やＭｇ含有合金を皮材としたクラッド材ではマグネシウム濃度を高くすると圧延性が低下し、ろう材として使用可能な形状に成形することが困難となる。このため、本実施形態においては、上記の積層ろう材５３を用いている。
なお、マグネシウム層５５を形成する方法としては、マグネシウムターゲットを用いたスパッタ法あるいはマグネシウム粉末のペーストを塗布して乾燥する方法や蒸着法を用いることができる。
【００３５】
積層ろう材５３のアルミニウム部材層５４の材料としては、純度が９９．９９ｍａｓｓ％以上のアルミニウム（４Ｎアルミニウム）、ケイ素含有量が０．１原子％以上のＡｌ−Ｓｉ合金を用いることができる。Ａｌ−Ｓｉ合金としては、例えば、Ａｌ−７．５〜１２．５ｍａｓｓ％（７．２〜１２．１原子％）Ｓｉ合金を用いることができる。アルミニウム部材層５４の厚さは、３〜５０μｍの範囲にあることが好ましい。
【００３６】
積層ろう材５３のマグネシウム層５５は、マグネシウム純度が８０原子％以上であることが好ましく、９０原子％以上であることが特に好ましい。マグネシウム層５５のマグネシウム濃度が８０原子％以上であると、後述の接合工程Ｓ２２において固液共存領域が生成し易くなり、また固液共存領域中にＭｇ２Ｓｉが生成し易くなる。
【００３７】
また、マグネシウム層５５の厚さは、１．０〜５．０μｍ（両面に配設される場合は、合計の厚さ）とすることが好ましい。マグネシウム層５５の厚さが薄くなりすぎると、積層体の加熱時に生成するＭｇ２Ｓｉの量が少なくなり、セラミックス基板１１とＡｌ−ＳｉＣ複合材料３０との接合強度が低下するおそれがある。一方、マグネシウム層５５の厚さが厚くなりすぎると、後述の接合工程Ｓ２２においてＡｌ−Ｍｇ合金の液相が過剰に生成して、セラミックス基板１１とＡｌ−ＳｉＣ複合材料３０との接合性が低下するおそれがある。
【００３８】
積層工程Ｓ２１においては、セラミックス基板１１とＡｌ−ＳｉＣ複合材料３０とを、積層ろう材５３のマグネシウム層５５と接触するＡｌ−ＳｉＣ複合材料３０のアルミニウム材３２および積層ろう材５３のアルミニウム部材層５４のうちの少なくとも一方は、ケイ素含有量が０．１原子％以上であるＡｌ−Ｓｉ合金で構成されているように積層する。本実施形態では、Ａｌ−ＳｉＣ複合材料３０のアルミニウム材３２および積層ろう材５３のアルミニウム部材層５４の両方が、ケイ素含有量が０．１原子％以上であるＡｌ−Ｓｉ合金で構成されていて、積層ろう材５３が、マグネシウム層５５がＡｌ−ＳｉＣ複合材料のアルミニウム材３２と接触するように配置されている。
【００３９】
次に、接合工程Ｓ２２では、得られた積層体を積層方向に加圧しながら、５５０℃以上５７５℃以下の温度範囲にて加熱する。この加熱によって、マグネシウム層５５のマグネシウムがＡｌ−Ｓｉ合金層の表面に存在する酸化被膜を除去するとともに、拡散して、セラミックス基板１１とＡｌ−ＳｉＣ複合材料３０との間に、アルミニウムと、マグネシウムと、ケイ素と、拡散してきたマグネシウムとケイ素との反応によって形成されたＭｇ２Ｓｉとによって、固液共存領域が生成される。なお、この時に、固液共存領域に存在するマグネシウムによって、セラミックス基板１１やＡｌ−ＳｉＣ複合材料３０の表面の酸化被膜が除去される。そして、固液共存領域が凝固することによって、図２に示すようにセラミックス基板１１とＡｌ−ＳｉＣ複合材料３０とが、アルミニウムとマグネシウムとケイ素を含む接合層４０を介して接合される。なお、マグネシウム酸化物４１はこれらの酸化被膜とマグネシウムの反応によって生じる。また、接合温度が高い場合や保持時間が長い場合では、接合層４０にＭｇ２Ｓｉがほとんど観察されない場合もある。なお、固液共存領域の凝固は、冷却による凝固であってもよいし、マグネシウムの拡散等によって固液共存領域中の液相の融点が上昇して、加熱温度を保ったまま凝固する、いわゆる等温凝固によるものであってもよい。
【００４０】
本実施形態では、上記の接合体の接合条件として、積層方向の荷重を０．１ＭＰａ以上３．５ＭＰａ以（１ｋｇｆ／ｃｍ２以上３５ｋｇｆ／ｃｍ２以下）の範囲内、接合温度を５５０℃以上５７５℃以下の範囲内、保持時間を１５分以上１８０分以下の範囲内とされている。接合温度が低くなりすぎると固液共存領域が生成しないおそれがある。一方、接合温度が高くなりすぎると、Ａｌ−ＳｉＣ複合材料３０の母材の溶融が生じるおそれがある。なお、接合温度は、Ａｌ−ＳｉＣ複合材料３０のアルミニウム材３２の流出を抑えるために、アルミニウム材３２の融点よりも低い温度であることが好ましい。
また、付与する荷重が低くなりすぎると、固液共存領域がＡｌ−ＳｉＣ複合材料３０に接触しにくくなり、接合不良となるおそれがある。付与する荷重が高くなりすぎると、回路層１２、セラミックス基板１１又はＡｌ−ＳｉＣ複合材料３０に亀裂や破損が生じるおそれがある。
【００４１】
以上のような構成とされた本実施形態であるヒートシンク付パワーモジュール用基板１の製造方法によれば、ヒートシンク接合工程Ｓ０２において、パワーモジュール用基板１０のセラミックス基板１１とヒートシンク２０となるＡｌ−ＳｉＣ複合材料３０とを、固液共存領域を形成させて接合しているので、Ａｌ−ＳｉＣ複合材料３０中のアルミニウム材３２を溶出させずに、セラミックス基板１１とＡｌ−ＳｉＣ複合材料３０とを高強度で接合することができる。また、Ａｌ−ＳｉＣ複合材料中のアルミニウム材が溶出しないので、Ａｌ−ＳｉＣ複合材料のアルミニウム材が流出することによる空隙（ボイド）の発生や、Ａｌ−ＳｉＣ複合材料のひび割れを抑制することができる。
【００４２】
さらに、本実施形態では、Ａｌ−ＳｉＣ複合材料３０のアルミニウム材３２および積層ろう材５３のアルミニウム部材層５４の両方がＡｌ−Ｓｉ合金で構成されていて、積層ろう材５３が、マグネシウム層５５がＡｌ−ＳｉＣ複合材料のアルミニウム材３２と接触するように配置されているので、生成するＭｇ２Ｓｉの量が少なくなることを防止し、セラミックス基板１１とＡｌ−ＳｉＣ複合材料３０とをより確実に接合することが可能となる。
【００４３】
従って、本実施形態での製造方法によって得られたヒートシンク付パワーモジュール用基板１は、セラミックス基板１１とヒートシンク２０（Ａｌ−ＳｉＣ複合材料３０）との接合強度が高く、また、ヒートシンク中の空隙（ボイド）が少ないので、ヒートサイクル信頼性が優れたものとなる。
【００４４】
以上、本発明の実施形態について説明したが、本発明はこれに限定されることはなく、その発明の技術的思想を逸脱しない範囲で適宜変更可能である。
例えば、本実施形態では、ヒートシンク付パワーモジュール用基板を例に挙げて説明したが、これに限定されることはなく、セラミックス部材とＡｌ−ＳｉＣ複合材料とを接合したセラミックス／Ａｌ−ＳｉＣ複合材料接合体であればよい。
【００４５】
また、本実施形態では、Ａｌ−ＳｉＣ複合材料３０のアルミニウム材３２および積層ろう材５３のアルミニウム部材層５４の両方がＡｌ−Ｓｉ合金で構成されていて、積層ろう材５３が、マグネシウム層５５がＡｌ−ＳｉＣ複合材料のアルミニウム材３２と接触するように配置されている例を説明したが、Ａｌ−ＳｉＣ複合材料３０のアルミニウム材３２および積層ろう材５３のアルミニウム部材層５４のうちの少なくとも一方がＡｌ−Ｓｉ合金で構成されていればよい。また、積層ろう材５３のアルミニウム部材層５４がＡｌ−Ｓｉ合金で構成されている場合は、積層ろう材５３のマグネシウム層５５とＡｌ−ＳｉＣ複合材料のアルミニウム材３２と接触させる必要なく、積層ろう材５３のアルミニウム部材層５４とＡｌ−ＳｉＣ複合材料のアルミニウム材３２と接触させてもよい。但し、積層ろう材５３のアルミニウム部材層５４のケイ素含有量が０．１原子％未満である場合は、積層ろう材５３のマグネシウム層５５とＡｌ−ＳｉＣ複合材料のアルミニウム材３２と接触させることが必要である。
【００４６】
また、本実施形態では、回路層１２を４Ｎアルミニウムの圧延板が接合されることで形成したが、これに限らず、銅又は銅合金板をセラミックス基板１１に接合することで、銅又は銅合金からなる回路層（厚さ０．１ｍｍ〜３．０ｍｍ）を形成してもよい。この場合、銅又は銅合金板をセラミックス基板１１に接合する場合には、Ａｇ−Ｃｕ−ＴｉやＡｇ−Ｔｉろう材による、活性金属ろう付け法が好適に用いられる。
さらに、回路層が、アルミニウムと銅（若しくはそれらの合金）の積層体から構成されていてもよい。この場合、セラミックス基板上にアルミニウム層が形成され、アルミニウム層上に銅層が形成されている。
【００４７】
また、本実施形態の製造方法において、回路層がアルミニウム又はアルミニウム合金で構成され、かつ、ろう材５２として積層ろう材５３を用いる場合、回路層とセラミックス基板の接合（回路層接合工程Ｓ０１）とセラミックス基板とヒートシンク２０（Ａｌ−ＳｉＣ複合材料３０）の接合（ヒートシンク接合工程Ｓ０２）を同時に行うことも可能である。
【実施例】
【００４８】
本発明の有効性を確認するために行った確認実験について説明する。
【００４９】
［本発明例１〜２３、従来例１〜４、比較例１〜４］
表１に示すように、回路層形成用金属板と、セラミックス基板（４０ｍｍ×４０ｍｍ、ＡｌＮ及びＡｌ２Ｏ３の場合：厚さ０．６３５ｍｍ、ＳｉＮの場合：０．３２ｍｍ）と、Ａｌ−ＳｉＣ複合材料（ＡｌＳｉＣ）の板材（５０ｍｍ×６０ｍｍ×厚さ５ｍｍ（スキン層が有る場合：スキン層は両面、片面の厚さは０．２ｍｍ））と、ろう材とを準備した。
なお、Ａｌ−ＳｉＣ複合材料のアルミニウム材の融点は、ＡＤＣ１２が５７０℃、４Ｎアルミニウムが６６０℃、２Ｎアルミニウムが６５０℃である。
【００５０】
回路層形成用金属板とセラミックス基板とを下記のようにして接合して、回路層が形成されたセラミックス基板を得た。
回路層形成用金属板が４Ｎ−Ａｌの場合、セラミックス基板の一方の面に、回路層形成用金属板（３７ｍｍ×３７ｍｍ×厚さ０．４ｍｍ）を、ろう材（Ａｌ−７．５ｍａｓｓ％Ｓｉ、厚さ：１２μｍ）を介して積層した。次いで、積層方向に加圧しながら加熱することによって、セラミックス基板に回路層形成用金属板を接合し、回路層が形成されたセラミックス基板を得た。なお、積層方向の荷重は０．６ＭＰａ、接合温度は６４５℃、保持時間は４５分とした。
回路層形成用金属板がＣｕの場合、セラミックス基板の一方の面に無酸素銅からなる銅板（３７ｍｍ×３７ｍｍ×厚さ０．６ｍｍ）を、ろう材（Ａｇ−９．８ｍａｓｓ％Ｔｉ）を介して積層し、荷重０．６ＭＰａ、接合温度８３０℃、保持時間３０分の条件で接合し、回路層が形成されたセラミックス基板を得た。
【００５１】
次に、回路層が形成されたセラミックス基板の他方の面に、Ａｌ−ＳｉＣ複合材料（ヒートシンク）を、表１に示すろう材を介し積層した。次いで、積層方向に加圧しながら加熱することによって、セラミックス基板にＡｌ−ＳｉＣ複合材料（ヒートシンク）を接合して、評価用試料（ヒートシンク付パワーモジュール用基板）を作製した。接合条件は表１に記載の通りとした。なお、従来例１〜４では、積層ろう材ではなく、表１に記載のろう材箔を用いた。
【００５２】
（初期接合性）
得られた評価用試料を用いて、セラミックス基板とヒートシンクとの接合率を測定して、初期接合性を評価した。
具体的には、超音波探傷装置（インサイト社製ＩＮＳＩＧＨＴ−３００）を用いて評価し、以下の式から算出した。ここで、初期接合面積とは、接合前における接合すべき面積、すなわちセラミックス基板の面積（４０ｍｍ×４０ｍｍ）とした。超音波探傷像を二値化処理した画像において剥離は接合部内の白色部で示されることから、この白色部の面積を非接合部面積とした。評価結果を表１に示す。
（接合率）＝｛（初期接合面積）−（非接合部面積）｝／（初期接合面積）×１００
【００５３】
（冷熱サイクル後の接合性）
冷熱サイクル後の接合性は、冷熱衝撃試験機エスペック社製ＴＳＢ−５１を使用し、上述の評価用試料に対して、液相（フロリナート）で、−４０℃×１０分←→１７５℃×１０分の２０００サイクルを実施し、上述した方法と同じ方法で接合率を測定して、評価した。評価結果を表１に示す。
【００５４】
（母材溶融の評価）
得られた評価用試料のＡｌ−ＳｉＣ複合材料表面を目視で観察し、母材溶融によるアルミニウムの流出や割れが確認された試料を「×」、確認されなかった試料を「○」と評価した。なお、図５は、母材溶融が発生したＡｌ−ＳｉＣ複合材料の一例の側面の写真であり、（ａ）は、母材溶融によるアルミニウムの流出が生じたＡｌ−ＳｉＣ複合材料の側面写真であり、（ｂ）は、母材溶融による割れが生じたＡｌ−ＳｉＣ複合材料の角部の側面写真である。図５（ａ）に示すように、母材溶融によるアルミニウムの流出が生じた場合、アルミニウムはＡｌ−ＳｉＣ複合材料表面に玉状になって存在する。
【００５５】
【表１】
2018030755.tif 000003
【００５６】
セラミックス基板とＡｌ−ＳｉＣ複合材料とを、Ａｌ−Ｓｉろう材箔やＡｌ−Ｓｉ―Ｍｇろう材箔を用い、６１０℃で接合した従来例１及び従来例２では、Ａｌ−ＳｉＣ複合材料の母材溶融が確認された。一方、５６０℃で接合した従来例３及び従来例４では、接合率が低かった。
また、積層ろう材のマグネシウム層と接触しているＡｌ−Ｓｉ層のＳｉ含有量が０．１原子％未満とされた比較例１、加熱温度が５５０℃未満であった比較例２、積層ろう材のマグネシウム層がセラミック基板と４Ｎ−アルミニウムとの間に配置された比較例４では接合率が低かった。加熱温度が５７５℃を超えた比較例３では、Ａｌ−ＳｉＣ複合材料の母材溶融が確認された。
【００５７】
一方、本発明例で得られたヒートシンク付パワーモジュール用基板は、いずれも母材溶融が生じることもなく、セラミックス基板とＡｌ−ＳｉＣ複合材料（ヒートシンク）との接合率も高い値を示すことが確認された。
【符号の説明】
【００５８】
１  ヒートシンク付パワーモジュール用基板
１０  パワーモジュール用基板
１１  セラミックス基板
１２  回路層
２０  ヒートシンク
２１  流路
３０  Ａｌ−ＳｉＣ複合材料
３１  多孔質体
３２  アルミニウム材
３３  スキン層
４０  接合層
４１  マグネシウム酸化物
５１  アルミニウム部材
５２  ろう材
５３  積層ろう材
５４  アルミニウム部材層
５５  マグネシウム層
【図１】
2018030755.tif 000004
【図２】
2018030755.tif 000005
【図３】
2018030755.tif 000006
【図４】
2018030755.tif 000007
【図５】
2018030755.tif 000008